(57)【要約】【課題】従来公知の釣り餌に、全く別個の、または同種の集魚用本体を簡易に接続して使用することを可能とし、釣り場の状況に応じて広く目的魚にアピール出来る釣り餌を提供することを可能とする。また、集魚用本体の釣り餌への接続を、コイル状の接続部によって行うことにより、確実で簡易に行うことが出来るから、釣り人の判断で、釣り場の状況変化に迅速に対応する釣り餌の選択が可能となるものである。【解決手段】釣り餌（２）にねじ込んで接続するコイル状の接続部（３）を一端に形成する。この接続体（１）の他端には集魚用本体（５）を接続している。集魚用本体（５）は、ルアーとしての機能を備えるもので有れば、材質、形状等は問わない。釣り餌（２）は、生餌であっても良いし、擬似餌であっても良い。【選択図】    図１
2005021113.tif 000002
【特許請求の範囲】
【請求項１】
接続体の一端に、釣り餌にねじ込んで接続するコイル状の接続部を形成すると共に接続体の他端に集魚用本体を接続したことを特徴とする釣り餌に接続して使用する集魚体。
【請求項２】
釣り餌は、生餌であることを特徴とする請求項１の釣り餌に接続して使用する集魚体。
【請求項３】
釣り餌は、ソフトルアーであることを特徴とする請求項１の釣り餌に接続して使用する集魚体。
【請求項４】
釣り餌は、ハードルアーであることを特徴とする請求項１の釣り餌に接続して使用する集魚体。
【請求項５】
集魚用本体は、スプーン、プラグ、ラバージグ、スピナー、メタルジグ、またはバイブレーション若しくはこれらの組み合わせから成ることを特徴とする請求項１の釣り餌に接続して使用する集魚体。
【発明の詳細な説明】
【０００１】
【産業上の利用分野】
本発明は釣り餌に接続して使用する集魚体に係るもので、一般的に使用する釣り餌に付属的に接続して使用することにより、釣り目的魚へのアピール度を高め、釣果を向上しようとするものである。
【０００２】
【従来の技術】
従来、釣り餌には、通常の状態で魚が食べて消化吸収が可能な生餌と、通常の状態で魚が食べるものではないが、魚が餌と誤認する様に形成している擬似餌とが存在する。この擬似餌には材質で区分すればソフトルアー、ハードルアーまたは両者を組み合わせたルアーが存在する。また、形状で区分すれば、スプーン、プラグ、ラバージグ、スピナー、メタルジグ、バイブレーション等のルアーと、フライ、テンカラ等の毛針類が存在する。本願明細書に於いて釣り餌とは、生餌と、上記の如き擬似餌を含む概念で用いている。
【０００３】
そして、従来これらの釣り餌は釣り針に接続する場合、一個または複数個を接続して用いることが行われているが、全く異なる餌を別個の方法で、釣り人の選択により接続して使用することは行われていない。例えば、鰺、鯖等の切り身を釣り針に接続した状態で、この切り身に更にルアーを接続したり、ソフトルアーにハードルアーを接続して使用することは行われていない。また、ルアーに生餌を接続するようにした仕掛けは存在するが、この場合も釣り人の判断によりルアーと生餌を組み合わせるものではなく、ルアーに生餌を接続するための釣り針が形成されているものであり、釣り人に選択の余地はないものである。また、ソフトルアーに、更に別個のソフトルアーを接続したり、ハードルアーとソフトルアー、ハードルアーに別個のハードルアーを接続する等の組み合わせを、釣り人の判断で任意に行うことは困難なものであった。
【０００４】
【発明が解決しようとする課題】
本発明は上述の如き組み合わせを、釣り人の判断で任意に行うことを可能にしようとするものであって、従来から使用されている従来公知の釣り餌に、全く別個の、または同種の釣り餌を任意に接続して使用することを可能とし、釣り場の状況に応じて広く目的魚にアピール出来る釣り餌を提供することを可能としたものである。
【０００５】
【課題を解決するための手段】
本発明は上述の如き課題を解決するため、接続体の一端に、釣り餌にねじ込んで接続するコイル状の接続部を形成すると共に接続体の他端に集魚用本体を接続して成るものである。
【０００６】
また、釣り餌は、生餌であっても良い。
【０００７】
また、釣り餌は、ソフトルアーであっても良い。
【０００８】
また、釣り餌は、ハードルアーであっても良い。
【０００９】
また、集魚用本体は、スプーン、プラグ、ラバージグ、スピナー、メタルジグ、またはバイブレーション若しくはこれらの組み合わせから成るものであっても良い。
【００１０】
【作用】
本発明は、上述の如く構成したものであり、集魚用本体を釣り餌に接続するには、コイル状の接続部を釣り餌にねじ込む事により行う。この釣り餌は、生餌、ソフトルアー、ハードルアー等を想定することが出来る。そして、これらの釣り餌に接続する接続部は、コイル状に形成したものであるから釣り餌と広い接触面積を保持することが可能となり、ねじ込み接続とした場合、比較的柔らかい生餌でも接続が可能なものとなる。しかし、生餌があまりに柔らかいものの場合は接続困難なものとなる。例えば、鰺、鯖等の切り身を生餌とした場合は、上記コイル状の接続部の接続は十分可能であるが、オキアミ等に接続部を接続するのは困難である。また、その接続は生餌のみにコイル状の接続部をねじ込んで接続することも勿論可能であるが、生餌にねじ込むと共にコイル状の接続部の一部を、釣り針に絡めることにより、生餌と接続部との接続が確実となり、投げ釣りや、大きな重量の錘を用いて生餌を急速に棚まで沈降させる場合にも、生餌と接続部の接続が解除されることはない。
【００１１】
また、集魚用本体を接続する釣り餌は、生餌のみならずソフトルアー、ハードルアー等にも接続が可能である。例えばソフトルアーに接続する場合は、生餌への接続と同様に、ソフトルアー自身にコイル状の接続部をねじ込むことが可能であるが、前述の如く釣り針に絡めることによって、生餌と接続部の接続が解除しにくいものとなる。
【００１２】
また、集魚用本体を接続する釣り餌にハードルアーを選択した場合は、ハードルアー自身にコイル状の接続部をねじ込むことは困難であるから、ハードルアーに形成されているラインの接続孔、接続部用に形成した接続孔等に接続部をねじ込むことより接続しても良い。
【００１３】
また、この接続体の他端に接続する集魚用本体は、集魚機能を備えるものであれば形状、材質等は限定されるものではないが、ルアー、例えばスプーン、プラグ、ラバージグ、スピナー、メタルジグ、またはバイブレーション若しくはこれらの組み合わせから成るものを用いるのが好ましい。
【００１４】
本発明では上述の如く、従来一般的に用いられている釣り餌に、任意の集魚用本体を接続することにより、単独で用いる釣り餌よりも釣り目的魚に強くアピールすることが可能となる。また、釣り餌への接続がコイル状の接続部により、確実で簡易に行うことが出来るから、釣り場の状況変化に迅速に対応することが可能となるものである。
【００１５】
【実施例】
以下本発明の実施例を図面に於いて説明すれば、図１は本発明の実施例を示す斜視図、図２は生餌である魚の切り身にコイル状の接続部をねじ込んだ状態の断面図、図３はソフトルアーである釣り餌にコイル状の接続部をねじ込んだ状態の断面図、図４はソフトルアーを接続したジグヘッドの釣り針に接続部を係合した状態の断面図、図５はソフトルアーの釣り針への異なる接続例を示す断面図である。
【００１６】
以下、本発明の一実施例を説明すれば、（１）は接続体で、釣り餌（２）にねじ込んで接続するコイル状の接続部（３）を一端に形成する。この接続部（３）はステンレス鋼、バネ鋼等で形成している。また、接続体（１）の他端にはヨリモドシ（４）を介して集魚用本体（５）を接続している。このヨリモドシ（４）は両端に設けた係合リング（６）（７）の一方に接続体（１）のフック（８）を係合固定し、他端の係合リング（７）には集魚用本体（５）の係合孔（９）を接続している。
【００１７】
また、集魚用本体（５）は、集魚機能を備えるもので有れば、材質、形状等は問わないものであって、ルアー、例えばスプーン、プラグ、ラバージグ、スピナー、メタルジグ、またはバイブレーション若しくはこれらの組み合わせから成るもので、ハードルアーまたはソフトルアーを用いることが出来る。
【００１８】
また、コイル状の接続部（３）をねじ込んで接続する釣り餌（２）は、通常の状態で魚が食べて消化吸収が可能な生餌であっても良いし、通常の状態で魚が食べるものではないが、魚が餌と誤認するように形成している擬似餌であっても良い。この擬似餌にはスプーン、プラグ、ラバージグ、スピナー、メタルジグ、またはバイブレーション等を用いることが出来る。、フライ、テンカラ等の如くコイル状の接続部（３）をねじ込んで使用する事ができない釣り餌を、本発明の取り付け対象としないことは当然である。しかし、フライ、テンカラ等を集魚用本体（５）として用いる事は勿論可能である。また、生餌の場合もオキアミ等の如く、コイル状の接続部（３）をねじ込んだ場合に、破壊されてしまう生餌に使用出来ないことも同様である。
【００１９】
上述の如く構成したものに於いて、集魚用本体（５）を釣り餌（２）に接続するには、図２、図３に示す如く、コイル状の接続部（３）を釣り餌（２）にねじ込む事により行う。図２に示す実施例は、釣り餌（２）を鯖、鰺等の魚の切り身とした場合であり、図３に示す実施例は、釣り餌（２）をソフトルアーとした場合であって、コイル状の接続部（３）をねじ込んだ状態で、このコイル状の接続部（３）と釣り餌（２）との接続関係が破壊されることなく、一定時間は持続が継続することが望ましい。
【００２０】
また、このコイル状の接続部（３）と釣り餌（２）との接続関係を強固なものとするには、図４に示す如く、釣り餌（２）である生餌やソフトルアーにねじ込むと共にコイル状の接続部（３）を、釣り針（１０）の外周に絡め、釣り餌（２）の側面に集魚用本体（５）を突出する。このように、接続部（３）を、釣り針（１０）の外周に絡めることにより、接続部（３）と釣り餌（２）との接続が確実となり、投げ釣りや、大きな重量の錘を用いて釣り餌（２）を急速に棚まで沈降させる場合の如く、釣り餌（２）に強い抵抗が掛かる状況でも、釣り餌（２）と接続部（３）の接続が解除されることはないものである。また、魚が針掛かりした場合にも、集魚体が外れにくいものとなる。
【００２１】
また、上記実施例では、コイル状の接続部（３）を釣り餌（２）にねじ込んだ状態に於いて、釣り餌（２）の側面に集魚用本体（５）を突出しているが、他の異なる使用例では、図５に示す如く、釣り針（１０）の軸に同軸方向に装着した釣り餌（２）に、同じく釣り針（１０）の軸と同軸方向に接続部（３）をねじ込んで装着する事により、釣り餌（２）を水中で移動させたときに、上記の使用例に比較して集魚用本体（５）のアクションが小さなものとなる。対象魚や釣り場の状況に応じて、任意に使い分けする事が出来る。
【００２２】
また、釣り餌（２）と接続部（３）の強固な接続は、接続部（３）を釣り針に絡める場合だけでなく、ジグヘッド（１１）の一部、例えばライン（１２）の連結部（１３）に絡めるものであっても良い。
【００２３】
また、集魚用本体（５）を接続する釣り餌（２）にハードルアーを選択した場合は、ハードルアー自身にコイル状の接続部（３）をねじ込むことは困難であるから、ハードルアーに形成されているライン（１２）の接続孔等に接続部（３）をねじ込むことより接続しても良い。また、ハードルアーに接続部（３）をねじ込む為の接続孔を予め開口し、この接続孔を利用して接続部（３）をねじ込み係合するものとしても良い。
【００２４】
【発明の効果】
本発明は上述の如く構成したものであるから、従来から使用されている従来公知の釣り餌に、全く別個の、または同種の集魚用本体を簡易に接続して使用することを可能とし、釣り場の状況に応じて広く目的魚にアピール出来る釣り餌を提供することを可能とする。また、集魚用本体の釣り餌への接続を、コイル状の接続部によって行うことにより、確実で簡易に行うことが出来るから、釣り人の判断で、釣り場の状況変化に迅速に対応する釣り餌の選択が可能となるものである。
【図面の簡単な説明】
【図１】本発明の一実施例を示す斜視図。
【図２】釣り餌に接続体を接続した状態の断面図。
【図３】釣り餌であるソフトルアーに接続体を接続した状態の断面図。
【図４】ソフトルアーを接続した釣り針に接続体を接続した状態の断面図。
【図５】ソフトルアーの釣り針への異なる接続例を示す断面図。
【符号の説明】
１    接続体
２    釣り餌
３    接続部
５    集魚用本体
【図１】
2005021113.tif 000003
【図２】
2005021113.tif 000004
【図３】
2005021113.tif 000005
【図４】
2005021113.tif 000006
【図５】
2005021113.tif 000007